【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
複数のピクセルを有するパルス幅変調方式ディスプレイシステムの動作方法であって、前記複数のピクセルのそれぞれの明るさが一連のパルス幅セグメント内におけるパルスの作動状態に反応して制御され、前記一連のパルス幅セグメントは複数のパルス幅セグメントを含み、前記パルス幅セグメントの各々が様々な幅を有する複数のパルスを含み、前記一連のパルス幅セグメントのうちのひとつのパルス幅セグメントにおけるパルスの各々の作動状態により、前記パルスに対応する期間中、対応するピクセルが照らされたままとなるか否かを決定し、前記一連のパルス幅セグメントによってピクセル輝度が提供され：
前記一連のパルス幅セグメント内にある特定のパルス幅セグメントが表現可能な最大ピクセル輝度レベルであるピクセル輝度境界以下の範囲内で前記ピクセル輝度が変化する場合、前記特定のパルス幅セグメントにおける少なくともひとつのパルスの作動状態を変更し；
前記ピクセル輝度境界を上回る第１のピクセル輝度が、前記ピクセル輝度境界を上回る第２のピクセル輝度に変更される場合ピクセル輝度の漸進的変化を実現するために、前記一連のパルス幅セグメントのうちのひとつのパルス幅セグメント内で作動状態となるパルスの全体幅と、同じ前記ひとつのパルス幅セグメント内で非作動状態となるパルスの全体幅とが実質的に等しくなるように、少なくとも１つのパルス幅セグメントにおける少なくともひとつのパルスの作動状態を変更し；
前記パルス幅変調方式ディスプレイシステムは、三原色のそれぞれを順次投射することで色の付いた画像を表示し、
各々の色は、前記各々の色の他の色に対応する分離されたパルス幅セグメントによって交互配置される分離されたパルス幅セグメントを有する、
方法。
【請求項２】
前記特定のパルス幅セグメントにおける前記少なくともひとつのパルスを作動状態にして、ピクセル輝度の漸進的増大を実現することを特徴とする請求項１に記載の方法。
【請求項３】
前記特定のパルス幅セグメントにおける前記少なくともひとつのパルスを非作動状態にして、ピクセル輝度の漸進的低減を実現することを特徴とする請求項１に記載の方法。
【請求項４】
前記少なくとも１つのパルス幅セグメントにおける前記少なくともひとつのパルスを作動状態にして、ピクセル輝度の漸進的増大を実現することを特徴とする請求項１に記載の方法。
【請求項５】
前記少なくとも１つのパルス幅セグメントにおける前記少なくともひとつのパルスを非作動状態にして、ピクセル輝度の漸進的低減を実現することを特徴とする請求項１に記載の方法。
【請求項６】
カラー画像を表示するパルス幅変調方式ディスプレイシステムの動作方法であって、前記システムは、一組の原色のうちの所与の一色に対する明るさが、一連のパルス幅セグメントにおけるパルスに反応して制御されるところの複数のピクセルを有し、前記一連のパルス幅セグメントはその所与の一色に対する複数のパルス幅セグメントを含み、前記一連のパルス幅セグメントの各々が様々な幅を有する複数のパルスを含み、その所与の一色に対応するパルス幅セグメントの各々が、他の色に対応するパルス幅セグメントで交互配置され、その所与の一色に対応するパルス幅セグメントにおけるパルスの各々の状態が、前記パルスに対応する期間中、その所与の一色に対して、対応するピクセルが照射されたままとなるか否かを決定し、各々の色の前記一連のパルス幅セグメントによって、対応する色のピクセル輝度が提供され：
前記一連のパルス幅セグメント内にある特定のパルス幅セグメントが表現可能な最大ピクセル輝度レベルであるピクセル輝度境界以下の範囲内で所与の色の前記ピクセル輝度が変化する場合、前記所与の一色に対する前記特定のパルス幅セグメントにおける少なくともひとつのパルスの作動状態を変更し；
前記ピクセル輝度境界を上回る第１のピクセル輝度が、前記ピクセル輝度境界を上回る第２のピクセル輝度に変更される場合、前記所与の色の輝度の漸進的変化を実現するために、前記一連のパルス幅セグメントのうちのひとつのパルス幅セグメント内で作動状態となるパルスの全体幅と、同じ前記ひとつのパルス幅セグメント内で非作動状態となるパルスの全体幅とが実質的に等しくなるように、前記所与の色の少なくとも１つのパルス幅セグメント内における少なくともひとつのパルスの作動状態を変更する；
方法。
【請求項７】
前記特定のパルス幅セグメントにおける前記少なくともひとつのパルスを作動状態にして、ピクセル輝度の漸進的増大を実現することを特徴とする請求項６に記載の方法。
【請求項８】
前記特定のパルス幅セグメントにおける前記少なくともひとつのパルスを非作動状態にして、ピクセル輝度の漸進的低減を実現することを特徴とする請求項６に記載の方法。
【請求項９】
前記少なくとも１つのパルス幅セグメントにおける前記少なくともひとつのパルスを作動状態にして、ピクセル輝度の漸進的増大を実現することを特徴とする請求項６に記載の方法。
【請求項１０】
前記少なくとも１つのパルス幅セグメントにおける前記少なくともひとつのパルスを非作動状態にして、ピクセル輝度の漸進的低減を実現することを特徴とする請求項６に記載の方法。
【請求項１１】
パルス幅変調方式ディスプレイシステムであって、
光源と、
入射光をスクリーン上にフォーカスする投射レンズと、
デジタルマイクロミラーデバイスであって、前記デジタルマイクロミラーデバイスは、配列内に配される独立の複数の微小ミラーを有し、各微小ミラーは前記微小ミラーに対応する駆動セルに適用される駆動信号の受信に応答して、前記光源からの光を前記投射レンズの中へ及び前記スクリーン上へ反射し、そこにある画素（ピクセル）に照射すべく、弧に沿って旋回できる、前記デジタルマイクロミラーデバイスと、
回転するカラーホイールであって、前記回転するカラーホイールは、前記光源と前記微小ミラーとの間に置かれ、連続的に三原色のそれぞれを分け伝え、前記デジタルマイクロミラーデバイスに当たり、そこから反射して前記投射レンズに向かうようにする、前記回転するカラーホイールと、
プロセッサであって、前記プロセッサは、複数のパルス幅セグメントを含む一連のパルス幅セグメント内にある特定のパルス幅セグメントが表現可能な最大ピクセル輝度レベルであるピクセル輝度境界以下の範囲内のピクセル輝度を変更すべく、所与の一色に対応する前記特定のパルス幅セグメントにおける少なくともひとつのパルスの作動状態を変更することによって、或いは、前記ピクセル輝度境界を上回るレベルにあるピクセル輝度を変更すべく、輝度の漸進的変化を実現するために、前記一連のパルス幅セグメントのうちのひとつのパルス幅セグメント内で作動状態となるパルスの全体幅と、同じ前記ひとつのパルス幅セグメント内で非作動状態となるパルスの全体幅とが実質的に等しくなるよう、少なくとも１つのパルス幅セグメントにおける少なくともひとつのパルスの作動状態を変更することによって、一連のパルス幅セグメントを形成し、前記パルス幅セグメントの各々は様々な幅を有する複数のパルスを含む、前記プロセッサと、
ドライバ回路であって、前記ドライバ回路は、前記プロセッサにより形成される前記一連のパルス幅セグメントに反応して、前記デジタルマイクロミラーデバイスが対応するピクセルを照射するよう前記デジタルマイクロミラーデバイスを駆動する、前記ドライバ回路と、
を有し、
前記パルス幅変調方式ディスプレイシステムは、三原色のそれぞれを順次投射することで色の付いた画像を表示し、
各々の色は、前記各々の色の他の色に対応する分離されたパルス幅セグメントによって交互配置される分離されたパルス幅セグメントを有する、
パルス幅変調方式ディスプレイシステム。
【請求項１２】
前記特定のパルス幅セグメントにおける前記少なくともひとつのパルスを作動状態にして、ピクセル輝度の漸進的増大を実現することを特徴とする請求項１１に記載のパルス幅変調方式ディスプレイシステム。
【請求項１３】
前記特定のパルス幅セグメントにおける前記少なくともひとつのパルスを非作動状態にして、ピクセル輝度の漸進的低減を実現することを特徴とする請求項１１に記載のパルス幅変調方式ディスプレイシステム。
【請求項１４】
前記少なくとも１つのパルス幅セグメントにおける前記少なくともひとつのパルスを作動状態にして、ピクセル輝度の漸進的増大を実現することを特徴とする請求項１１に記載のパルス幅変調方式ディスプレイシステム。
【請求項１５】
前記少なくとも１つのパルス幅セグメントにおける前記少なくともひとつのパルスを非作動状態にして、ピクセル輝度の漸進的低減を実現することを特徴とする請求項１１に記載のパルス幅変調方式ディスプレイシステム。